(57)【要約】【課題】脱着自在であり、且つ、必要に応じてその装着力を調整可能な装着部品を提供する。【解決手段】装着部品の１つである玉網の柄２用の口栓１０は、本体部８と、本体部８と一体的に形成されるスリーブ部９とを有している。これらの本体部８とスリーブ部９とは、ＮＲＢなどの弾性ゴムから形成されている。スリーブ部９は、薄肉のパイプ状に形成されたゴム製の部分である。スリーブ部９の中空と本体部８との貫通孔とは連通している。このスリーブ部９は、そのパイプ状の部分を手元側の開口から丸く捲り上げることができる程度の厚さである。【選択図】      図２
2005013158.tif 000002
【特許請求の範囲】
【請求項１】
釣竿や玉網の柄を構成する管状体の周面に脱着自在に装着する装着部品であって、
一端側から軸長方向に丸く捲ることが可能な弾性ゴムからなり前記一端側からその内部の中空部分に前記管状体を挿入可能なスリーブ部と、
前記スリーブ部の他端側に連結される本体部と、を備えた装着部品。
【請求項２】
前記本体部は前記スリーブ部の中空部分に連なり軸方向に貫通する貫通孔が形成された略筒状の部分であり、前記本体部の外周面には周方向に間隔を隔てて複数の軸長方向に延びる溝が形成されている、玉網の柄を構成する管状体の周面に脱着自在に装着する、請求項１に記載の装着部品。
【請求項３】
前記本体部の周面に装着されているフレームと、前記フレームにはめ込まれたガイドリングをさらに備える、請求項１に記載の装着部品。
【請求項４】
前記本体部は前記スリーブ部と一体的に形成されている、請求項１〜３の何れかに記載の装着部品。
【発明の詳細な説明】
【０００１】
【発明の属する技術分野】
本発明は魚釣りに用いる釣竿や玉網の柄を構成する管状体の周面に、脱着自在に装着する装着部品に関する。
【０００２】
【従来の技術】
釣竿には種々のタイプのものがある。その中には、「延べ竿」と呼ばれるタイプの釣竿がある。このタイプの釣竿は、最も穂先側に位置する穂先竿から、最も手元側に位置する元竿まで振出形式に連結されており、穂先竿の穂先側端部には釣糸を係止するための釣糸連結部などが設けられる。そして、釣りを終えた後には穂先竿から順次元竿内に収納されてコンパクトな状態になる。このように複数の竿体をコンパクトに収納した後に、この元竿の穂先側端部に口栓をはめて、栓をすることが多い。
【０００３】
また、釣りを行う際に玉網が用いられる。この玉網を構成する玉網の柄は、管状体を順次連結して一本の柄としている。このような玉網の柄においても、上述の釣竿と同様に、網枠を玉網の柄から外した上で、最も大径かつ手元側に位置する管状体内に先端側の管状体を順次収納し、この手元側の管状体の先端側端部に口栓をはめる。
【０００４】
このような口栓において生じる問題の１つが口栓の装着力の調整である。口栓を管状体に容易に脱着可能とすると共に、装着時には十分な装着力を演出する必要がある。そこで、装着力を調整可能なように、管状体に対して嵌合する部分を２つ別個に設けて、それぞれの嵌合部分で装着力を異にしたものなどが提案されている（特許文献１参照）。
【０００５】
【特許文献１】
特開２００３−１１６４０８号公報
【０００６】
【発明が解決しようとする課題】
しかし、上述のような口栓は、例えば、嵌合する部分を２つ別個に設けたのであれば、２つの異なる装着力を演出することができるに留まり、状況に応じて装着力を調整することはできない。
【０００７】
また、口栓のみではなく、竿体等の管状体の周面には様々な部品が脱着自在に装着されるが、上述のように脱着を容易にすると共に、十分な装着力を演出する必要性は、他の部品においても同様である。
【０００８】
本発明の課題は、脱着自在であり、且つ、必要に応じてその装着力を調整可能な、装着部品を提供することにある。
【０００９】
【課題を解決するための手段】
本発明の装着部品は、釣竿や玉網の柄を構成する管状体の周面に脱着自在に装着する装着部品であり、一端側から軸長方向に丸く捲ることが可能な弾性ゴムからなり一端側からその内部の中空部分に管状体を挿入可能なスリーブ部と、スリーブ部の他端側に連結される本体部とを備える。
【００１０】
この装着部品は、以下の用にして管状体の周面に脱着自在に装着する。まず、装着部品を管状体に取り付けようとする者は、スリーブ部の一端側からその内部の中空部分に管状体を挿入する。管状体をスリーブ部内に挿入した後に、管状体の周面上にあるスリーブ部を一端側から他端側に向かって軸長方向に丸く捲ってゆく。捲られて丸まったスリーブ部はその弾性によって収縮して小径化し、管状体の周面への装着力が大きくなってゆく。このように、スリーブ部を丸く捲る程度に応じて、装着部品の管状体の周面への装着力を調整できる。
【００１１】
この装着部品は、玉網の柄を構成する管状体の周面に脱着自在に装着するものとして用いることができる。この場合、本体部はスリーブ部の中空部分に連なり軸方向に貫通する貫通孔が形成された略筒状の部分として、本体部の外周面には周方向に間隔を隔てて複数の軸長方向に延びる溝が形成されている。
【００１２】
また、この装着部品は、竿体の周面に脱着自在に装着する釣糸ガイドとして用いることができる。この場合、この装着部品は、本体部の周面に装着されているフレームと、フレームにはめ込まれたガイドリングをさらに備えることになる。
【００１３】
なお、本体部はスリーブ部と一体的に形成してもよい。
【００１４】
【発明の実施の形態】
［第１実施形態］
本発明の第１実施形態について図面を参照しつつ説明する。
【００１５】
本発明の第１実施形態を採用した玉網は、図１に示すように、環状の枠に網が取り付けられた網枠部１とこれに連結される玉網の柄２とからなる。
網枠部１は、ステンレス合金やチタン合金等からなる金属製部材を環状に折り曲げて形成した枠部分と、ナイロン繊維等からなる糸を網目状の編み込んでなる略円筒型の網とを組み合わせたものである。この網が、魚をすくい入れる部分である。網枠部１の枠部分の一部に雄ねじ等が形成され、この雄ねじ部で玉網の柄２に脱着自在に網枠部１は装着されることになる。
【００１６】
一方、玉網の柄２は、例えば、４つの管状体（先端側から順に、第１管状体１１〜第４管状体１４）を振出形式に連結して構成されている。管状体の数はこれに限定されるものではなく、必要な玉網の柄２の全長や、個々の管状体の軸方向長さ等に応じて、任意に設定されるべきものである。
【００１７】
この各管状体１１〜１４は、それぞれ炭素繊維等の強化繊維に合成樹脂を含浸させた繊維強化樹脂を芯材に巻回して焼成して製造する先細り筒状部材である。これらはいわゆる振出形式で連結されるため、順次手元側の管状体内に収納可能である。特に図示しないものの、これらの第１管状体１１〜第３管状体１３の手元側端部外周面はそれぞれ各管状体が先端側に飛び出さないように太径化して「抜け止め」となっている。若しくは、順次各管状体を先端側に引き出した際に、各管状体を嵌着可能なように、各管状体の手元側端部外周面には周知の嵌合部分を形成する。
【００１８】
最も手元側に位置する太径の第４管状体１４には、竿元側端部に底栓３が脱着自在に装着される。例えば、第４管状体１４の手元側端部内周面にねじ溝を形成して、ここに底栓３を螺着させる。
【００１９】
図２に詳しく示すように、最も先端側に位置する小径の第１管状体１１には、先端側端部内周面に雌ねじ部材４が収納されている。雌ねじ部材４は内周面にねじ溝が形成されているパイプ状の部材であり、第１管状体１１の先端側端部内周面に接着等されている。この実施形態では、別途雌ねじ部材４を第１管状体１に取り付けているが、第１管状体１の内周面に直接ねじ溝を形成してもよい。この雌ねじ部材４は上述の網枠部１の雄ねじが螺着する部分である。
【００２０】
また、第１管状体１１の先端側端部外周面に口栓１０が装着されている。
口栓１０は、図２にも詳しく示すように、本体部８と、本体部８と一体的に形成されるスリーブ部９とを有している。これらの本体部８とスリーブ部９とは、ＮＢＲ等の弾性ゴムから形成されている。
【００２１】
本体部８は、軸長方向に貫通する貫通孔が形成さえた略筒状のものである。貫通孔は上述の第１管状体１１が挿入される。本体部８の先端側端部外周面には径方向外側に広がる鍔が形成されており、鍔の手元側の外周面は手元側ほど小径化するようなテーパ面となっている。このテーパ面には周方向に間隔を隔てて複数の溝が形成されている。この外周面の外径は、軸方向中央付近において、第４管状体１４の先端側端部の内径におよそ合わせて設定される。
【００２２】
スリーブ部９は、薄肉のパイプ状に形成されたゴム製の部分である。スリーブ部９は先端側が上述の本体部８に連結されている。スリーブ部９の中空と上述の本体部の貫通孔とは連通している。このスリーブ部９は、後述のように、そのパイプ状の部分を手元側の開口から丸く捲り上げることができる程度の厚さで形成されている。なお、スリーブ部９の手元側端部には径方向外方に広がる小さな鍔を形成しておいてもよい。このような鍔を形成することで、上述のような手元側の開口からの捲り上げが容易になる。
【００２３】
この本体部８の貫通孔及びスリーブ部９の内径は、装着することが予定されている第１管状体１１の先端側の外径にあわせて調整される。およそ軸方向において径が殆ど変化していない。
【００２４】
このような玉網の柄２と網枠部１とを組み合わせた玉網では、使用時には、各管状体を先端側に引き出して一本の長い玉網の柄２として、魚をすくい入れる。一方、収納時には、第１管状体１１から順次手元側に位置する各管状体内に振出形式に各管状体が収納されて、最終的には、最も手元側に位置する第４管状体１４内に全ての管状体が収納されたコンパクトな状態となる（図１参照）。そして、このコンパクトに各管状体を収納した状態で、第１管状体１１の先端側端部外周面に配置された口栓１０の本体部８の外周面に、第４管状体１４の先端側内周面を嵌着させて栓をする（図１参照）。
【００２５】
口栓１０は、第１管状体１１に対して脱着自在に装着されている。その脱着手法は以下の通りである。まず、図３（ａ）に示すように、操作者は、スリーブ部９の手元側の開口からその中の中空及び本体部８の貫通孔に第１管状体１１を挿入する。続いて、挿入された第１管状体１１の周面において、図３（ｂ）に示すように、スリーブ部９を手元側の開口から丸く捲ってゆく。丸く捲られたスリーブ部９は、捲られた部分において小径化し、第１管状体１１の周面に強く装着する。スリーブ部９の捲りの程度によって、装着力を調整することができる。
【００２６】
口栓１０を第１管状体１１から取り外す際には、逆の手順を履践する。即ち、スリーブ部９の丸く捲られた箇所を元に戻して、スリーブ部９及び本体部８の貫通上から第１管状体１１を引き抜く。
【００２７】
［第２実施形態］
本発明の第２実施形態として、延べ竿の口栓２０について説明する。
図４に示すように、延べ竿は、複数の竿体を振出形式に連結して構成される釣竿である。最も手元側に位置する太径の元竿Ｒ１の穂先側に順次中竿が連結され、最も穂先側に穂先竿が配置される。穂先竿の穂先側端部には釣糸を連結するための釣糸係止部が設けられる。収納時には穂先竿から順次手元側の竿体内に各竿体が収納され、最終的に元竿Ｒ１内に収納される。
【００２８】
このように各竿体を収納した元竿Ｒ１の穂先側端部に口栓２０が装着される。
口栓２０は、図４に示すように、本体部２１と、本体部２２に連結されるスリーブ部２３とからなる。両者は弾性ゴムで一体的に形成されている。
【００２９】
スリーブ部２２は、上記第１実施形態と同様の薄肉のパイプ状の部材である。その内径は、元竿Ｒ１の穂先側端部の外径におよそあわせて調整されている。また、スリーブ部２３の竿元側端縁には小さな鍔をつけておいてもよい。
【００３０】
本体部２１はスリーブ部２３の穂先側を閉塞する中実の円筒型の部材である。スリーブ部２３に挿入されてくる元竿Ｒ１の穂先側端部が一部挿入可能な程度の孔をスリーブ部２３の中空に連続して形成しておいてもよい。
【００３１】
このような口栓２０も、上記第１実施形態と同様に元竿Ｒ１に装着できる。即ち、スリーブ部２３内に元竿Ｒ１の穂先側端部を挿入した後に、スリーブ部２３を竿元側から順次丸く捲り上げて、口栓２０を元竿Ｒ１に十分に装着する。
なお、ここでは、延べ竿に対する口栓２０を例示しているが、その他、中通し竿用などに利用することも当然に可能である。
【００３２】
［第３実施形態］
第３実施形態として、釣糸ガイド３０を図５に示す。
この釣糸ガイド３０は、釣竿を構成する竿体Ｒ２の任意の軸方向位置でその周面に装着される部品であって、リールからの釣糸を案内するための部品である。釣糸ガイド３０は、リング状の本体部３１と、本体部３１に一体的に連結しているスリーブ部３２と、本体部３１の周面に装着されたフレーム３３と、フレーム３３にはめ込まれたガイドリング３４とからなる。
【００３３】
本体部３１及びスリーブ部３２においては、軸長方向に竿体Ｒ２が貫通可能となっている。両者は弾性ゴムから形成されており、スリーブ部３２は薄肉のパイプ状である。
【００３４】
フレーム３３は金属若しくは硬質合成樹脂から形成され、本体部３１の周面に接着若しくはその他の手法で固定されている。フレーム３３は本体部３１から起立する薄板型の部分であり、起立した頭端側には円形に窓が形成されている。この窓にガイドリング３４がはめ込まれて固定されている。ガイドリング３４はセラミックスなどの硬質部材からなり、釣糸がこのガイドリング３４を挿通する。
【００３５】
このようなガイドリング３０も、上記第１実施形態と同様に竿体Ｒ２に装着できる。即ち、本体部３１及びスリーブ部３２を挿通するように竿体Ｒ２を挿入し、スリーブ部３３を竿元側から順次丸く捲り上げて、ガイドリング３４を竿体Ｒ２に十分に装着する。本体部３１及びスリーブ部３２はゴム製であり、釣糸から力が加わる釣糸ガイド３０にあっても、竿体Ｒ２への装着力を十分に調整できる。このような釣糸ガイド３０は不用意に竿体Ｒ２上で動いてしまうこともなく、必要に応じて竿体Ｒ２より取り外して、交換も可能である。
【００３６】
【発明の効果】
本発明にかかる装着部品は、竿体等の管状体に対して脱着自在であり、且つ、必要に応じてその装着力を調整可能である。釣竿を構成する竿体等に装着する様々な部品に応用することが可能である。
【図面の簡単な説明】
【図１】本発明の第１実施形態を採用した玉網を示した図。
【図２】図１の玉網の柄の口栓１０を示した図。
【図３】図１の口栓１０の脱着手法を示した図。
【図４】本発明の第２実施形態を採用した延べ竿用の口栓２０を示した図。
【図５】本発明の第３実施形態を採用した釣糸ガイド３０を示した図。
【符号の説明】
１  網枠部
２  玉網の柄
１０，２０  口栓
１１〜１４  第１〜第４管状体
３０  釣糸ガイド
【図１】
2005013158.tif 000003
【図２】
2005013158.tif 000004
【図３】
2005013158.tif 000005
【図４】
2005013158.tif 000006
【図５】
2005013158.tif 000007